(57)【要約】【要  約】【課  題】    必要に応じてレンズの傾斜角を自在に変更できる傾斜角自在形眼鏡を実現する。【解決手段】  レンズ枠１両脇の突出部11とつる８を開閉するヒンジ７との中間に、任意の位置まで容易に回転し、かつその位置を保持する自在回転継手５を設けて構成する。【選択図】    図１
2005309272.tif 000002
【特許請求の範囲】
【請求項１】
レンズ枠（１）両脇の突出部（11）とつる（８）との中間に、任意の位置まで容易に回転し、かつその位置を保持する自在回転継手（５）を設けてなる傾斜角自在形眼鏡。
【請求項２】
レンズ枠（１）両脇の突出部（11）とつる（８）との中間に挿入された中間部材（４）の両端に、任意の位置まで容易に回転し、かつその位置を保持する自在回転継手（５、６）を設けてなる傾斜角自在形眼鏡。
【請求項３】
請求項１に記載のレンズ枠（１）に、取り付け部材（９）ならびに第２の自在回転継手（６）を介して第２のレンズ枠（２）を取り付けてなる傾斜角自在形眼鏡。
【請求項４】
請求項２に記載の中間部材（４）に第２のレンズ枠（２）を取り付けてなる傾斜角自在形眼鏡。
【請求項５】
自在回転継手（５、６）が、それぞれ異なる部材に接続された外筒（51）及びその軸芯に位置する内軸（53）と、これらの中間に挿入されたゴム筒（52）とからなるものである請求項１ないし４のいずれかに記載の傾斜角自在形眼鏡。
【請求項６】
自在回転継手（５、６）が、それぞれ異なる部材に接続された外筒（51）と、これに内側から弾性的に接する摩擦片（54）とからなるものである請求項１ないし４のいずれかに記載の傾斜角自在形眼鏡。
【発明の詳細な説明】
【技術分野】
【０００１】
本発明は、レンズの傾斜角を必要に応じて自在に変更できる傾斜角自在形眼鏡に関する。
【背景技術】
【０００２】
眼鏡は近視、遠視、乱視等の矯正や紫外線避け、眼球周りの粉塵からの保護、水しぶきからの保護など種々の目的で使用される。とくにスポーツや自動車の運転、パソコンを使用しての作業など、見ようとする対象物の位置、距離によって視線の向きが変わる場合においては眼鏡をずらしたり、外したりすることが頻繁に発生するので、これまでにもはね上げ式のレンズ枠や、着脱式のサングラスなどが考案され、使用されている。
【０００３】
特許文献１には、着用中にレンズの傾斜角（つるの傾斜角度といっても同じこと）を任意に変更できるようにした眼鏡が記載されている。これを図面により簡単に説明する。
【０００４】
図11は一部を切り欠いてこの眼鏡の突出部付近を示す側面図、図12は同じく一部を切り欠いてつるの要部を示す側面図で、７はヒンジ（蝶番）、８はつる（テンプル）、３は角度調整部、31は回転軸、32は凹部、33は凸部である。すなわち、この眼鏡は２枚の摺動面を回転軸31で重ね合わせた角度調整部3を備え、摺動面の一方に複数の凹部32を、他方に凸部33を設けてある。したがって、眼鏡の着用者が必要に応じて眼鏡を外し、つるを動かすことでレンズの傾斜角を変更することができる。しかし眼鏡をかけたままではこの操作は難しいし、凹部32と凸部33が嵌合することでその角度に固定される構造であるから、中間の任意の角度を選定することはできず、やや使い勝手がわるいという問題点がある。
【０００５】
また、眼鏡を新調する場合には、着用中のずれ落ちを防止するため、眼鏡枠と顔面との密着性などを細かく調整する必要があるが、特許文献２その他にもこの目的のための角度調整機構が記載されている。これらは着用中に行う調整ではない。
【特許文献１】実開平４−１０１５２１号公報
【特許文献２】実開昭５５−６０１１２号公報
【発明の開示】
【発明が解決しようとする課題】
【０００６】
本発明は、着用したままの状態でレンズの傾斜角を任意に変更し、その角度を保持できるようにした傾斜角自在形眼鏡を実現することを目的とする。
【課題を解決するための手段】
【０００７】
本発明は、レンズ枠両脇の突出部とつるを開閉するヒンジとの中間に、任意の位置まで容易に回転し、かつその位置を保持する自在回転継手を設けてなる傾斜角自在形眼鏡であるか、レンズ枠両脇の突出部とつるを開閉するヒンジとの中間に挿入された中間部材の両端に、任意の位置まで容易に回転し、かつその位置を保持する自在回転継手を設けてなる傾斜角自在形眼鏡であり、さらに前記のレンズ枠に、取り付け部材ならびに第２の自在回転継手を介して第２のレンズ枠を取り付けてなる傾斜角自在形眼鏡であるか、あるいは前記の中間部材に第２のレンズ枠を取り付けてなる傾斜角自在形眼鏡であり、前記の自在回転継手が、それぞれ異なる部材に接続された外筒及びその軸芯に位置する内軸と、これらの中間に挿入されたゴム筒とからなるものであるか、あるいは、それぞれ異なる部材に接続された外筒と、これに内側から弾性的に接する摩擦片とからなるものである。
【発明の効果】
【０００８】
本発明によれば、着用したままで必要に応じてレンズ枠を動かすことにより任意にレンズの傾斜角を変更し、かつそのままの角度を保持できるので、例えばパソコン画面と手元資料のように異なる視角や距離の対象物を頻繁に目視する作業や、日差し、風、飛沫物等を自在に遮り目標物を視認して目や顔面を保護する屋外スポーツなどにおいて最適であり、著しい効果を奏する。
【発明を実施するための最良の形態】
【０００９】
本発明の実施例を図面により説明する。図１は第１の実施例である傾斜角自在形眼鏡の斜視図、図２は側面図で、１は近眼用あるいは着色ガラス、風防ガラスなど、目的に応じたレンズのはまったレンズ枠（フロントフレーム）、11はその両脇の「よろい」とも呼ばれる突出部、５は本発明の特徴部分である自在回転継手、７はヒンジ（蝶番）、８はつる（テンプル）である。
【００１０】
すなわちこの傾斜角自在形眼鏡は、レンズ枠両脇の突出部11とつる８を開閉するヒンジ７との中間に、任意の位置まで容易に回転し、かつその位置を保持する自在回転継手５が設けられている。
【００１１】
図３は第２の実施例である傾斜角自在形眼鏡の側面図で、レンズ枠1の両脇の突出部11とつる８を開閉するヒンジ７との中間に挿入された中間部材４の両端に、任意の位置まで容易に回転し、かつその位置を保持する自在回転継手５、６が設けられている。第１の実施例のものでもレンズの傾斜角は任意に変更できるが、角度を変えることによりレンズの光軸がずれるので、焦点が合わなくなる場合がある。図３（ａ）、（ｂ）に示すように、自在回転継手５、６が２段に設けられていると、傾斜角と同時に光軸も修正できるので、いっそう便利である。自在回転継手５、６は、レンズに近いもの６を５よりも軽く動くように調整しておくと使い勝手がよい。なお、ヒンジ７を図３における中間部材４に設けることもできる。
【００１２】
図４は第３の実施例である傾斜角自在形眼鏡の側面図である。すなわち、前記の第２の実施例における中間部材４に第２のレンズ枠２を取り付け、レンズを２重構造としている。この場合も、ヒンジ７を中間部材４に設けるようにしてもよい。
【００１３】
２枚のレンズの組み合わせは、近視用と遠視用等の光学的な組み合わせでもよいし、一方を光学的なレンズ、他方を着色ガラスとしてもよい。
【００１４】
図５は第４の実施例である傾斜角自在形眼鏡の側面図である。この実施例は、前記の第１の実施例のレンズ枠１の上部または下部に、取り付け部材９ならびに第２の自在回転継手６を介して第２のレンズ枠２を取り付けてなる同じく２重レンズ構造のものである。取り付け部材９をクリップ式にすることにより、第２のレンズ枠２を容易に着脱できるので、取り外せば第１の実施例のものと同じ傾斜角自在形眼鏡となる。
【００１５】
図６は第５の実施例である傾斜角自在形眼鏡の斜視図である。この実施例ではレンズ枠1aが両眼のレンズ、枠を一体にして側面まで延長したゴーグル形あるいはサンバイザ形となっている。これまでに説明したすべての実施例で、レンズ枠１または２をこのタイプに変更することが可能である。
【００１６】
本発明の自在回転継手としてはさまざまな構造のものが採用できるが、２つの例を図面により説明する。図７、８に示すものは、それぞれ異なる部材、（例えばつるとよろい）に接続された外筒51及びその軸芯に位置する内軸53と、これらの中間に挿入されたゴム筒52とで構成されている。図7はこの部分の分解斜視図、図８はゴム筒52の斜視図である。ゴム筒52は、内径、外径とも圧入状態になるように、自由状態での外径は外筒51の内径より大きく、内径は内軸53の径よりも小さくする。手でレンズ枠の向きを変えるのにあまり重くなく、かつ自然に動いてしまうことのないようにするのはゴム筒52の内径、外径部分における摩擦力如何であるから、例えば外径側を固定とし、内径側のみですべるように、図８に示したように内径の孔を多角形断面とし、内軸と複数箇所で接するようにするのも有効である。内軸53の外径側に軸方向の溝を設けたり、多角形断面としてもよい。
【００１７】
図９、10に示すものは、それぞれ異なる部材に接続された外筒51と、これに内側から弾性的に接する摩擦片54とで構成されている。図9は分解斜視図、図10は断面図である。摩擦片54は複数枚に分割され、半径方向に広がるようにばねで付勢されている。ばねは図10に示すように小さなコイルばね55や板ばねを挿入してあってもよいし、摩擦片54を弾性材料で構成してもよい。摩擦力を高めるため摩擦片54の表面を焼付け塗装したり、ゴムライニングすることも有効である。
【図面の簡単な説明】
【００１８】
【図１】本発明の第１の実施例である傾斜角自在形眼鏡の斜視図である。
【図２】本発明の第１の実施例である傾斜角自在形眼鏡の側面図である。
【図３】本発明の第２の実施例である傾斜角自在形眼鏡の側面図である。
【図４】本発明の第３の実施例である傾斜角自在形眼鏡の側面図である。
【図５】本発明の第４の実施例である傾斜角自在形眼鏡の側面図である。
【図６】本発明の第５の実施例である傾斜角自在形眼鏡の斜視図である。
【図７】本発明の実施例の自在回転継手の分解斜視図である。
【図８】図７におけるゴム筒の斜視図である。
【図９】本発明の他の実施例の自在回転継手の分解斜視図である。
【図１０】図９における断面図である。
【図１１】従来の技術を示す眼鏡要部の側面図である。
【図１２】同じく従来の技術を示す眼鏡要部の側面図である。
【符号の説明】
【００１９】
１、1a、２    レンズ枠
３    角度調整部
４    中間部材
５、６    自在回転継手
７    ヒンジ
８    つる
９    取り付け部材
11   突出部
31   回転軸
32   凹部
33   凸部
51   外筒
52   ゴム筒
53   内軸
54   摩擦片
55   コイルばね
【図１】
2005309272.tif 000003
【図２】
2005309272.tif 000004
【図３】
2005309272.tif 000005
【図４】
2005309272.tif 000006
【図５】
2005309272.tif 000007
【図６】
2005309272.tif 000008
【図７】
2005309272.tif 000009
【図８】
2005309272.tif 000010
【図９】
2005309272.tif 000011
【図１０】
2005309272.tif 000012
【図１１】
2005309272.tif 000013
【図１２】
2005309272.tif 000014